(57)【要約】【課題】近距離無線通信を用いた個人情報のやりとりでは、予め登録しておいたユーザ情報を全て相手に送信してしまい、相手によって送信する情報量を増減させたい場合には、その都度ユーザ情報を書き換える必要がある。【解決手段】近距離無線を用いて個人情報の送受信を行う情報通信端末において、前記情報通信端末のユーザ情報と、他の前記情報通信端末のユーザ情報である他ユーザ情報と、近距離無線を用いてユーザ情報を他の情報通信端末に送信する際に用いる制御用情報と、を保持するメモリと、前記制御用情報を用いて他の情報通信端末に送信するユーザ情報の量を変化させる制御部と、を具備した。【選択図】図４
2009044497.tif 000002
【特許請求の範囲】
【請求項１】
近距離無線を用いて個人情報の送受信を行う情報通信端末において、
前記情報通信端末のユーザ情報と、他の前記情報通信端末のユーザ情報である他ユーザ情報と、近距離無線を用いてユーザ情報を他の情報通信端末に送信する際に用いる制御用情報と、を保持するメモリと、
前記制御用情報を用いて他の情報通信端末に送信するユーザ情報の量を変化させる制御部と、
を有することを特徴とする情報通信端末。
【請求項２】
前記制御用情報は、
ユーザ情報の項目毎に送信を行うか否か設定されている一組の、又は複数組であって組毎に前記設定が異なる情報である送信制御情報であり、
ユーザが前記送信制御情報のうち一組を選択することにより、
制御部は選択された組の送信制御情報に基づき送信するユーザ情報の量を増減することを特徴とする請求項１記載の情報通信端末。
【請求項３】
前記制御用情報はさらに、
他ユーザ情報が前記メモリに分類保持されている場合の分類情報を表す分類情報であって、その各分類が前記送信制御情報の各組に対応しているものからなり、
ユーザが他ユーザ情報を前記メモリから選択することにより、
制御部は選択された他ユーザ情報が属している分類と対応づけられている送信制御情報の組に基づき送信する個人情報の量を増減することを特徴とする請求項２記載の情報通信端末。
【請求項４】
前記制御用情報は、
前記メモリに保持されている他ユーザ情報であり、
ユーザが他ユーザ情報を前記メモリから選択することにより、
制御部は選択された他ユーザ情報で登録されている項目と対応するユーザ情報の項目を送信するように、送信するユーザ情報の量を増減することを特徴とする請求項１記載の情報通信端末。
【請求項５】
前記制御用情報はさらに、
他ユーザ情報の項目毎に、登録内容に応じて送信内容が設定されている情報である送信内容制御情報からなり、
ユーザが他ユーザ情報を前記メモリから選択することにより、
制御部は選択された他ユーザ情報と対応する前記送信内容制御情報に基づき送信するユーザ情報の量を増減することを特徴とする請求項４記載の情報通信端末。
【請求項６】
近距離無線を用いて個人情報の送受信を行う情報通信方法において、
前記情報通信端末のユーザ情報と、他の前記情報通信端末のユーザ情報である他ユーザ情報と、近距離無線を用いてユーザ情報を他の情報通信端末に送信する際に用いる制御用情報と、を保持するステップと、
前記制御用情報を用いて他の情報通信端末に送信するユーザ情報の量を変化させるステップと、
を含むことを特徴とする情報通信方法。
【発明の詳細な説明】
【技術分野】
【０００１】
本発明は携帯電話やＰＤＡ（Ｐｅｒｓｏｎａｌ  Ｄｉｇｉｔａｌ  Ａｓｓｉｓｔａｎｔ）等の情報通信端末に係り、より詳細には、近距離無線通信を用いた個人情報送信技術に関わる。
【背景技術】
【０００２】
携帯電話やＰＨＳ，ＰＤＡ等の情報通信端末間で、電話番号やメールアドレスといったユーザ情報をやり取りする場合、情報通信端末のテンキーやキーボードから直接相手のユーザ情報を入力する方法や、赤外線やＢｌｕｅｔｏｏｔｈ等の近距離無線を用いた情報通信端末間の通信を行ってユーザ情報を送受信する方法がある。
【０００３】
近距離無線通信を用いてユーザ情報を送受信する方法は、テンキーやキーボードから直接入力する方法と比べ、手間や時間がかからないといった利点があり、現在様々な情報通信端末でこの方法が採用されている。
【０００４】
近距離無線通信を用いてユーザ情報の送信を行う場合、予め情報通信端末にユーザ情報を登録しておく必要がある。ユーザ情報送信時には登録したユーザ情報を参照し、その情報に基づいて送信を行う。近年ユーザ情報交換に用いる為のユーザ情報登録欄には様々な項目を入力できるようになっており、趣味、誕生日、所属会社名といった文字データだけでなく、ディジタルカメラで取った画像や自宅付近の地図データもユーザ情報として登録しておくことができる。
【０００５】
情報通信端末に予めユーザ情報として様々な項目を登録しておけば、ユーザ情報を交換した相手との相互理解が迅速に進み、親睦を深める一助となる一方、立場や状況、プライバシーの観点から、全ての人に登録したユーザ情報を全て渡すことが好ましく無い場合もある。
【発明の開示】
【発明が解決しようとする課題】
【０００６】
従来の近距離無線通信を用いたユーザ情報の送信では、予めユーザ情報として登録しておいた情報を全て送信してしまう。相手によって送信する情報量を増減させたい場合には、近距離無線通信を行う前に、直接ユーザ情報の入力や削除を行いユーザ情報として登録する必要があり、複数人に異なる情報量のユーザ情報を送信したい場合、その都度ユーザ情報を変更登録する必要があった。
【０００７】
そこで本発明では上記述べた点に鑑み、近距離無線通信でユーザ情報を送信する際に送信相手との関係や情報通信端末に登録されている相手情報を考慮して送信情報量を増減させることを可能とした送信技術を提供する。
【課題を解決するための手段】
【０００８】
上記課題を解決するため請求項１に記載の発明は、近距離無線を用いて個人情報の送受信を行う情報通信端末において、前記情報通信端末のユーザ情報と、他の前記情報通信端末のユーザ情報である他ユーザ情報と、近距離無線を用いてユーザ情報を他の情報通信端末に送信する際に用いる制御用情報と、を保持するメモリと、前記制御用情報を用いて他の情報通信端末に送信するユーザ情報の量を変化させる制御部と、を有することを特徴とする。
【０００９】
また、請求項２に記載の発明は請求項１に記載の発明において、制御用情報は、ユーザ情報の項目毎に送信を行うか否か設定されている一組の、又は複数組であって組毎に設定が異なる情報である送信制御情報であり、ユーザが送信制御情報のうち一組を選択することにより、制御部は選択された組の送信制御情報に基づき送信するユーザ情報の量を増減することを特徴とする。
【００１０】
また、請求項３に記載の発明は請求項２に記載の発明において、制御用情報はさらに、他ユーザ情報が前記メモリに分類保持されている場合の分類状態を表す分類情報であって、その各分類が前記送信制御情報の各組に対応しているものからなり、ユーザが他ユーザ情報を前記メモリから選択することにより、制御部は選択された他ユーザ情報が属している分類と対応づけられている送信制御情報の組に基づき送信する個人情報の量を増減することを特徴とする。
【００１１】
また、請求項４に記載の発明は請求項１に記載の発明において、制御用情報は、前記メモリに保持されている他ユーザ情報であり、ユーザが他ユーザ情報を前記メモリから選択することにより、制御部は選択された他ユーザ情報で登録されている項目と対応するユーザ情報の項目を送信するように、送信するユーザ情報の量を増減することを特徴とする。
【００１２】
また、請求項５に記載の発明は請求項４に記載の発明において、制御用情報はさらに、他ユーザ情報の項目毎に、登録内容に応じて送信内容が設定されている情報である送信内容制御情報からなり、ユーザが他ユーザ情報を前記メモリから選択することにより、制御部は選択された他ユーザ情報と対応する前記送信内容制御情報に基づき送信するユーザ情報の量を増減することを特徴とする。
【００１３】
また、請求項６に記載の発明は、近距離無線を用いて個人情報の送受信を行う情報通信方法において、情報通信端末のユーザ情報と、他の情報通信端末のユーザ情報である他ユーザ情報と、近距離無線を用いてユーザ情報を他の情報通信端末に送信する際に用いる制御用情報と、を保持するステップと、制御用情報を用いて他の情報通信端末に送信するユーザ情報の量を変化させるステップと、を含むことを特徴とする。
【発明の効果】
【００１４】
この発明によれば、メモリに記憶させているユーザ情報を書き換えることなく、近距離無線を用いてユーザ情報を送信する際に予め設定しておいた制御用情報に基づいて送信するユーザ情報の量を増減させることができる。
【発明を実施するための最良の形態】
【００１５】
以下本発明の実施形態を、携帯無線端末を例に挙げ図面に基づいて詳細に説明する。図１は、本発明の携帯無線端末の構成を示す図である。図１に示すように、本発明の携帯無線端末は、制御部１、近距離無線通信部２、メモリ３、表示部４、入力部５、ＲＦ部６、音声処理部７、マイク８、スピーカ９、及び送受信アンテナ１０を有する。
【００１６】
制御部１は後述するメモリ３に保持されている電話発着信やメール送受信のプログラムを実行するなど、携帯無線端末の制御を行う。近距離無線通信部２は、赤外線やＢｌｕｅｔｏｏｔｈ等の近距離無線の送受信部からなり、携帯無線端末同士で送受信部を対面させ近距離無線の送受信を行うことにより、ユーザ情報や画像情報などデータの送受信を行う。
【００１７】
メモリ３は携帯無線端末ユーザのユーザ情報、後述する近距離無線通信を用いたユーザ情報の送信を行う際に使用する制御用情報を記憶するとともに、他の前記情報通信端末のユーザの個人情報である他ユーザ情報を記憶するアドレス帳を有する。表示部４は、液晶パネルからなり、ユーザは表示部に表示された文字や画像を基に携帯無線端末の操作を行うとともに、操作結果の確認を行う。入力部５は、テンキー、十字キー、メニューキー、クリアキー等からなり、ユーザは入力部を操作し携帯無線端末を制御する。ＲＦ部６は、送受信アンテナ１０から入力された受信信号を復調し、音声制御部に出力するとともに、音声制御部から入力された送信信号を変調し、送受信アンテナ１０に出力する。
【００１８】
音声処理部７はＲＦ部６から入力された受信信号を復号化しマイク８へ出力するとともに、スピーカ９から入力された音声信号を符号化し、ＲＦ部６へ出力する。マイク８は、ユーザから発せられた音声を音声信号に変換し音声処理部７に出力し、スピーカ９は音声処理部７から出力された受信信号を音声に変換する。送受信アンテナ１０は基地局と通信を行う為に電気信号と電波信号の変換を行う。
【００１９】
次に本実施形態における、ユーザ情報送信時に行うユーザ情報の量の増減処理について説明する。送信するユーザ情報の量の増減処理を行う際に、メモリ３に保持されている制御用情報を用いる。制御部１はこの制御用情報に基づいて送信するユーザ情報のファイルデータを作成し、近距離無線通信部から送信させる。制御用情報としては、送信制御情報、アドレス帳分類情報、他ユーザ情報、送信内容制御情報がある。
【００２０】
以下、制御用情報であるA.送信制御情報B.アドレス帳分類情報C.他ユーザ情報D.送信内容制御情報を順に説明する。
【００２１】
A.まず、制御用情報のうち送信制御情報の一例を図２に示す。送信制御情報とは、ユーザ情報の項目毎に送信を行うか否か設定されている一組の、又は複数組であって組毎にユーザ情報の項目毎の送信を行うか否かの設定が異なる制御用情報であり、図２に示された表は複数組の送信制御情報である。表の最左列はユーザ情報の項目である「名前」「電話番号１」「メールアドレス１」等からなり、最上列は送信制御情報の組毎の名称であり、ユーザが任意に組名称を設定することができる。
【００２２】
この送信制御情報を制御用情報として用いる場合、ユーザは予めユーザ情報の項目毎に送信を行うか否かに基づき「送信する」か「送信しない」を任意設定し、一組又は複数組の送信制御情報を作成するとともに、組毎の組名称も設定する。
【００２３】
ユーザが、友人関係にある相手が持つ携帯無線端末には、所有する携帯無線端末にユーザ情報として登録している項目のうちで「名前」「読み」「電話番号１」「メールアドレス１」を送信したい場合、ユーザ情報の項目のうち「名前」「読み」「電話番号１」「メールアドレス１」を「送信する」に設定し、それ以外の項目を「送信しない」と設定するとともに、組名称を「友人」と設定する一組の送信制御情報を作成する。同様にユーザが「親友」関係にある相手が持つ携帯無線端末には、所有する携帯無線端末に個人情報として登録している全ての項目を送信したい場合、ユーザ情報の全項目を「送信する」と設定するとともに、組名称を「親友」と設定する一組の送信制御情報を作成する。以下同様の作業を繰り返し、ユーザは任意に送信制御情報を設定することができる。
【００２４】
以上のように設定された送信制御情報に基づき、ユーザ情報送信時におけるユーザ情報の量の増減処理を行う場合、予め設定しておいた送信制御情報の各組の組名称を表示部４に表示させる。ユーザは入力部５を操作し、表示部４に表示されている組名称のうち１つを選択すると、制御部１はその選択された組名称に対応する１組の送信制御情報のうち、ユーザ情報で「送信する」と設定された項目のみを抽出したのち、ユーザ情報送信用のファイルデータを作成する。
【００２５】
B.次に、制御用情報のうちアドレス帳分類情報について説明する。アドレス帳分類情報とは、アドレス帳に他ユーザ情報が分類保持されている場合における分類情報である。この分類はユーザが他ユーザ情報を検索しやすいように設定をすることができる。アドレス帳分類情報を制御用情報として用いる場合、ユーザは予めアドレス帳の分類を送信制御情報の組に対応させる。
【００２６】
アドレス帳に「大学の友人」という分類があり、その分類に登録されている相手が持つ携帯無線端末には、送信制御情報のうちで「友人」という組名称で設定されているユーザ情報の項目だけを送信したいと考える場合、アドレス帳の分類である「大学の友人」と送信制御情報の組である「友人」を対応づける。
【００２７】
以上のように設定されたアドレス帳分類情報に基づき、ユーザ情報送信時におけるユーザ情報の量の増減処理を行う場合、ユーザはアドレス帳に保持されている送信相手の個人情報である他ユーザ情報を検索する。制御部１はその他ユーザ情報の検索結果に基づき、他ユーザ情報が登録されているアドレス帳分類と対応する一組の送信制御情報のうち、ユーザ情報で「送信する」と設定された項目のみを抽出したのち、ユーザ情報送信用のファイルデータを作成する。
【００２８】
C.次に、制御用情報のうち他ユーザ情報について説明する。制御用情報としての他ユーザ情報に基づき、ユーザ情報送信時におけるユーザ情報の量の増減処理を行う場合、ユーザはアドレス帳に保持されている送信相手の個人情報である他ユーザ情報を検索する。制御部１はその他ユーザ情報の検索結果に基づき、他ユーザ情報として登録されている項目とユーザ情報の項目を対応させ、他ユーザ情報として登録されている項目だけユーザ情報から抽出したのち、ユーザ情報送信用のファイルデータを作成する。
【００２９】
D.次に、制御用情報のうち送信内容制御情報について説明する。送信内容制御情報の一例を図３に示す。送信内容制御情報とは、他ユーザ情報の項目毎に、登録内容に応じて送信内容が設定されている制御用情報であり、図３に示された表は他ユーザ情報の電話番号項目に関する送信内容制御情報である。表の最左列は送信情報であり、送信相手に送信するユーザ情報である「携帯電話番号」「固定電話番号」「ＩＰ電話番号」からなる。最上列は他ユーザ情報であり、電話番号項目の登録内容である「携帯電話番号」「固定電話番号」「ＩＰ電話番号」「電話番号登録なし」からなる。
【００３０】
この送信内容制御情報を制御用情報として用いる場合、ユーザは予め電話番号、メールアドレス、住所などの個人情報の項目毎に、送信内容制御情報の設定を行う。電話番号に関する送信内容制御情報の場合、送信情報は様々なタイプの電話番号を設定することができ、図３では「携帯電話番号」「固定電話番号」「ＩＰ電話番号」の項目が設定されている状態である。他ユーザ情報も同様に様々なタイプの電話番号を設定することができ、図３では「携帯電話番号」「固定電話番号」「ＩＰ電話番号」「電話番号登録なし」の項目が設定されている状態である。
【００３１】
これら送信情報、他ユーザ情報の項目は条件と共に設定される事項である。例えば送信情報の「携帯電話番号」では、「ユーザ情報の電話番号項目で頭３桁が090か080であるとともに、数字の桁数が11桁である電話番号」という条件が設定されている。これらの項目はユーザによって追加や削除が可能であり、追加を行う場合には項目毎に項目名称と条件を設定する。
【００３２】
次に、ユーザが、所有する携帯無線端末に、ユーザ情報の送信相手の個人情報である他ユーザ情報が登録してあり、且つ他ユーザ情報として登録されている電話番号が「携帯電話番号」である場合で、ユーザ情報として「携帯電話番号」「固定電話番号」「ＩＰ電話番号」のいずれかが登録してあるならば、登録している電話番号を送信するとした場合、図３のように他ユーザ情報に関わる「携帯電話番号」に対応する送信情報の項目で「携帯電話番号」「固定電話番号」「ＩＰ電話番号」を「送信する」と設定する。同様に、他ユーザ情報として登録されている電話番号が「固定電話番号」である場合で、ユーザ情報として「固定電話番号」が登録してあるならば、登録している電話番号を送信するとした場合、図３のように他ユーザ情報に関わる「固定電話番号」に対応する送信情報の項目で「固定電話番号」を「送信する」と設定するとともに、「携帯電話番号」「ＩＰ電話番号」を「送信しない」と設定する。
【００３３】
以上のように設定された電話番号に関わる送信内容制御情報に基づき、ユーザ情報送信時におけるユーザ情報の量の増減処理を行う場合、ユーザはアドレス帳に保持されている送信相手の個人情報である他ユーザ情報を検索する。制御部１はその他ユーザ情報の検索結果に基づき、他ユーザ情報として登録されている電話番号項目の内容を分析する。分析の結果、他ユーザ情報として携帯電話番号が登録されていることが判明した場合、送信内容制御情報のうち、他ユーザ情報で「携帯電話番号」に対応する送信情報でどの項目が「送信する」と設定されているか検出する。次に、制御部はユーザ情報の電話番号項目の内容を分析する。分析の結果、先に検出した「送信する」と設定された送信情報の項目とユーザ情報の電話番号のタイプが同一であるならば、そのユーザ情報の電話番号に基づき、ユーザ情報送信用のファイルデータを作成する。
【００３４】
ここでは、電話番号の送信内容制御情報を例にとって説明を行ったが、この例の様に個人情報の項目毎の送信内容制御情報に限らずさらに、各項目にまたがって送信内容制御情報を設定してもよい。例えば予め登録されている他ユーザ情報で「携帯電話番号」「携帯メールアドレス」が登録されている場合に限り、「住所」「趣味」を送信するといった送信内容制御情報である。
【００３５】
次に、本実施形態におけるユーザ情報送信処理のフローを、図４を参照して説明する。先ず、ユーザ情報画面を表示部４に表示させた状態で、メニューキー等を押下することにより赤外線送信選択のメニューを表示させる（Ｓｔ．１）。ここで、表示されるメニューの中で赤外線送信を選択し、送信情報制御項目選択Iのメニューを表示させる（Ｓｔ．２）。送信情報制御項目選択Iのメニューで表示される項目は、アドレス帳の他、予めで登録した送信制御情報の組名称である。図４は、「友人」「親友」「メル友」「同僚」の組名称である４組の送信制御情報を設定している場合である。
【００３６】
送信情報制御項目選択Iにおいて、組名称を選択した場合、制御部１はその組名称に対応する送信制御情報に基づいてユーザ情報送信用のファイルデータを作成し、そのファイルデータを近距離無線通信部２より送信する（Ｓｔ．３）。送信情報制御項目選択Iにおいてアドレス帳を選択した場合、ユーザ情報を送信する相手を検索する処理に移る（Ｓｔ．４）。送信相手検索処理において、送信相手を検索することができた場合、送信情報制御項目選択IIのメニューが表示される（Ｓｔ．５）。すなわち、表示部４に「I.分類情報  II.対応情報  III.対応制御情報」という内容が表示される。
【００３７】
I.分類情報を選択すると、制御部１はアドレス帳分類情報に基づいてユーザ情報送信用のファイルデータを作成し、そのファイルデータを近距離無線通信部２より送信する（Ｓｔ．６）。II.対応情報を選択すると、制御部１は他ユーザ情報に基づいてユーザ情報送信用のファイルデータを作成し、そのファイルデータを近距離無線通信部２より送信する（Ｓｔ．６）。III.対応制御情報を選択すると、制御部１は送信内容制御情報に基づいてユーザ情報送信用のファイルデータを作成し、そのファイルデータを近距離無線通信部２より送信する（Ｓｔ．６）。
【００３８】
送信情報制御項目IIにおける「I.分類情報  II.対応情報  III.対応制御情報」の選択のステップをユーザ情報送信の際に毎回行えば、送信相手毎に送信情報を細かく変化させることができる為有効であるが、ユーザ情報送信にかかるステップが多くなり手間がかかる。そこで送信情報制御項目選択IにおいてI.アドレス帳を選択した場合「I.分類情報  II.対応情報  III.対応制御情報」のどの方式によって個人情報を送信するかを予め登録しておいてもよい（Ｓｔ．７）。
【００３９】
なお、上記実施形態では、携帯無線端末で近距離無線を用いてユーザ情報を送信する例につき説明したが、これに限らず、インターネットを利用して送信するようにしてもよい。また、携帯無線端末同士において、互いに有線で接続し個人情報を送信するようにしてもよい。
【図面の簡単な説明】
【００４０】
【図１】本発明の一実施形態にかかる携帯無線端末の構成図である。
【図２】近距離無線を用いてユーザ情報を送信する際に使われる制御用情報の一つである複数組の送信制御情報の図表である。
【図３】近距離無線を用いてユーザ情報を送信する際に使われる制御用情報の一つである電話番号項目における送信内容制御情報の図表である。
【図４】本発明を用いた携帯無線端末における、個人情報送信を行う際のフローである。
【符号の説明】
【００４１】
１    制御部
２    近距離無線通信部
３    メモリ
４    表示部
５    入力部
６    ＲＦ部
７    音声処理部
８    マイク
９    スピーカ
１０  送受信アンテナ
【図１】
2009044497.tif 000003
【図２】
2009044497.tif 000004
【図３】
2009044497.tif 000005
【図４】
2009044497.tif 000006